【手続補正書】
【提出日】令和3年9月30日(2021.9.30)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）の方法であって、
ランダムアクセス手順を開始することと、
ＰＤＣＣＨ（Ｐｈｙｓｉｃａｌ  Ｄｏｗｎｌｉｎｋ  Ｃｏｎｔｒｏｌ  Ｃｈａｎｎｅｌ）送信を受信することと、
前記ランダムアクセス手順に関連付けられた競合解決に成功したかどうかを決定することであって、
前記ランダムアクセス手順を開始することが、ＳｐＣｅｌｌ（Ｓｐｅｃｉａｌ  Ｃｅｌｌ）ビーム失敗回復に対して行われるときに、前記競合解決に成功したかどうかを決定することは、前記ＰＤＣＣＨ送信が前記ＵＥのＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）宛てであるかどうかに基づき、
前記ランダムアクセス手順を開始することが、ＳＣｅｌｌ（Ｓｅｃｏｎｄａｒｙ  Ｃｅｌｌ）ビーム失敗回復に対して行われるときに、前記競合解決に成功したかどうかを決定することは、前記ＰＤＣＣＨ送信が前記ＵＥの前記Ｃ−ＲＮＴＩ宛てであるかどうか、および前記ＰＤＣＣＨ送信が新しい送信のための上りリンク（ＵＬ）グラントを含むかどうかに基づく、決定することと、を含む、方法。
【請求項２】
前記ランダムアクセス手順を開始することが、前記ＳＣｅｌｌビーム失敗回復に対して行われるときに、前記競合解決に成功したかどうかを決定することは、前記ＰＤＣＣＨ送信が前記ＵＥの前記Ｃ−ＲＮＴＩ宛てであり、かつ前記ＰＤＣＣＨ送信が前記新しい送信のための前記ＵＬグラントを含むことに基づいて、前記競合解決に成功したと決定することを含む、請求項１に記載の方法。
【請求項３】
前記ＵＬグラントは、前記ランダムアクセス手順のＭｓｇ３の送信に関連付けられたＨＡＲＱ（Ｈｙｂｒｉｄ  Ａｕｔｏｍａｔｉｃ  Ｒｅｐｅａｔ  Ｒｅｑｕｅｓｔ）プロセスのためのものである、請求項２に記載の方法。
【請求項４】
前記ランダムアクセス手順を開始することが前記ＳＣｅｌｌビーム失敗回復に対して行われるときに、前記競合解決に成功したかどうかを決定することは、前記ＰＤＣＣＨ送信が前記ＵＥの前記Ｃ−ＲＮＴＩ宛てであり、かつ前記ＰＤＣＣＨ送信が前記新しい送信のための前記ＵＬグラントを含まないことに基づいて、前記競合解決に成功したとは決定しないことを含む、請求項１に記載の方法。
【請求項５】
前記ＰＤＣＣＨ送信は、下りリンク（ＤＬ）割り当てを割り当てる、請求項４に記載の方法。
【請求項６】
前記ランダムアクセス手順を開始することが前記ＳｐＣｅｌｌビーム失敗回復に対して行われるときに、前記競合解決に成功したかどうかを決定することは、前記ＰＤＣＣＨ送信が前記ＵＥの前記Ｃ−ＲＮＴＩ宛てであることに基づいて、前記競合解決に成功したと決定することを含む、請求項１に記載の方法。
【請求項７】
前記ＰＤＣＣＨ送信は、下りリンク（ＤＬ）割り当てを割り当てる、請求項６に記載の方法。
【請求項８】
前記ランダムアクセス手順を開始することが前記ＳｐＣｅｌｌビーム失敗回復に対して行われるときに、前記競合解決に成功したかどうかを決定することは、前記ＰＤＣＣＨ送信が前記ＵＥの前記Ｃ−ＲＮＴＩ宛てではないことに基づいて、前記競合解決に成功したとは決定しないことを含む、請求項１に記載の方法。
【請求項９】
前記ＳＣｅｌｌビーム失敗回復は、ＳＣｅｌｌに関連付けられたビーム失敗表示に応答して、トリガされる、請求項１に記載の方法。
【請求項１０】
前記競合解決に成功したとの決定に基づいて、前記ランダムアクセス手順の完了に成功したと決定することを含む、請求項１に記載の方法。
【請求項１１】
ユーザ機器（ＵＥ）であって、
制御回路と、
前記制御回路に設けられたプロセッサと、
前記制御回路に設けられ、前記プロセッサに動作可能に結合されたメモリと、を含み、
前記プロセッサは、前記メモリに記憶されたプログラムコードを実行して、動作を行うように構成されており、前記動作は、
ランダムアクセス手順を開始することと、
ＰＤＣＣＨ（Ｐｈｙｓｉｃａｌ  Ｄｏｗｎｌｉｎｋ  Ｃｏｎｔｒｏｌ  Ｃｈａｎｎｅｌ）送信を受信することと、
前記ランダムアクセス手順に関連付けられた競合解決に成功したかどうかを決定することであって、
前記ランダムアクセス手順を開始することが、ＳｐＣｅｌｌ（Ｓｐｅｃｉａｌ  Ｃｅｌｌ）ビーム失敗回復に対して行われるときに、前記競合解決に成功したかどうかを決定することは、前記ＰＤＣＣＨ送信が前記ＵＥのＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）宛てであるかどうかに基づき、
前記ランダムアクセス手順を開始することが、ＳＣｅｌｌ（Ｓｅｃｏｎｄａｒｙ  Ｃｅｌｌ）ビーム失敗回復に対して行われるときに、前記競合解決に成功したかどうかを決定することは、前記ＰＤＣＣＨ送信が前記ＵＥの前記Ｃ−ＲＮＴＩ宛てであるかどうか、および前記ＰＤＣＣＨ送信が新しい送信のための上りリンク（ＵＬ）グラントを含むかどうかに基づく、決定することと、含む、ＵＥ。
【請求項１２】
前記ランダムアクセス手順を開始することが、前記ＳＣｅｌｌビーム失敗回復に対して行われるときに、前記競合解決に成功したかどうかを決定することは、前記ＰＤＣＣＨ送信が前記ＵＥの前記Ｃ−ＲＮＴＩ宛てであり、かつ前記ＰＤＣＣＨ送信が前記新しい送信のための前記ＵＬグラントを含むことに基づいて、前記競合解決に成功したと決定することを含む、請求項１１に記載のＵＥ。
【請求項１３】
前記ＵＬグラントは、前記ランダムアクセス手順のＭｓｇ３の送信に関連付けられたＨＡＲＱ（Ｈｙｂｒｉｄ  Ａｕｔｏｍａｔｉｃ  Ｒｅｐｅａｔ  Ｒｅｑｕｅｓｔ）プロセスのためのものである、請求項１２に記載のＵＥ。
【請求項１４】
前記ランダムアクセス手順を開始することが前記ＳＣｅｌｌビーム失敗回復に対して行われるときに、前記競合解決に成功したかどうかを決定することは、前記ＰＤＣＣＨ送信が前記ＵＥの前記Ｃ−ＲＮＴＩ宛てであり、かつ前記ＰＤＣＣＨ送信が前記新しい送信のための前記ＵＬグラントを含まないことに基づいて、前記競合解決に成功したとは決定しないことを含む、請求項１１に記載のＵＥ。
【請求項１５】
前記ＰＤＣＣＨ送信は、下りリンク（ＤＬ）割り当てを割り当てる、請求項１４に記載のＵＥ。
【請求項１６】
前記ランダムアクセス手順を開始することが前記ＳｐＣｅｌｌビーム失敗回復に対して行われるときに、前記競合解決に成功したかどうかを決定することは、前記ＰＤＣＣＨ送信が前記ＵＥの前記Ｃ−ＲＮＴＩ宛てであることに基づいて、前記競合解決に成功したと決定することを含む、請求項１１に記載のＵＥ。
【請求項１７】
前記ＰＤＣＣＨ送信は、下りリンク（ＤＬ）割り当てを割り当てる、請求項１６に記載のＵＥ。
【請求項１８】
前記ランダムアクセス手順を開始することが前記ＳｐＣｅｌｌビーム失敗回復に対して行われるときに、前記競合解決に成功したかどうかを決定することは、前記ＰＤＣＣＨ送信が前記ＵＥの前記Ｃ−ＲＮＴＩ宛てではないことに基づいて、前記競合解決に成功したとは決定しないことを含む、請求項１１に記載のＵＥ。
【請求項１９】
前記動作は、
前記競合解決に成功したとの決定に基づいて、前記ランダムアクセス手順の完了に成功したと決定することを含む、請求項１１に記載のＵＥ。
【請求項２０】
プロセッサ実行可能な命令を含む非一時的なコンピュータ可読媒体であって、前記命令は、ユーザ機器（ＵＥ）によって実行されるときに、動作を行うことを引き起し、前記動作は、
ランダムアクセス手順を開始することと、
ＰＤＣＣＨ（Ｐｈｙｓｉｃａｌ  Ｄｏｗｎｌｉｎｋ  Ｃｏｎｔｒｏｌ  Ｃｈａｎｎｅｌ）送信を受信することと、
前記ランダムアクセス手順に関連付けられた競合解決に成功したかどうかを決定することであって、
前記ランダムアクセス手順を開始することが、ＳｐＣｅｌｌ（Ｓｐｅｃｉａｌ  Ｃｅｌｌ）ビーム失敗回復に対して行われるときに、前記競合解決に成功したかどうかを決定することは、前記ＰＤＣＣＨ送信が前記ＵＥのＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）宛てであるかどうかに基づき、
前記ランダムアクセス手順を開始することが、ＳＣｅｌｌ（Ｓｅｃｏｎｄａｒｙ  Ｃｅｌｌ）ビーム失敗回復に対して行われるときに、前記競合解決に成功したかどうかを決定することは、前記ＰＤＣＣＨ送信が前記ＵＥの前記Ｃ−ＲＮＴＩ宛てであるかどうか、および前記ＰＤＣＣＨ送信が新しい送信のための上りリンク（ＵＬ）グラントを含むかどうかに基づく、決定することと、を含む、コンピュータ可読媒体。